(57)【要約】【課題】保守作業員でないビル管理人等でも動作の継続を容易に把握でき、乗客コンベアを復旧させ易い手摺インレットガード装置、及びそれを備える乗客コンベアを提供すること。【解決手段】手摺インレットガード装置１０が、手摺２の各入込部７に手摺２の延在方向に移動可能な状態で手摺２を囲むように設けられるハンドガードブーツ２１と、ハンドガードブーツ２１が入込部７の奥側に所定距離押し込まれるとオン状態になるインレットスイッチ２３と、光を出射する発光装置２４と、１以上のインレットスイッチ２３からの信号に基づいて、１以上のインレットスイッチ２３のオン状態が継続されていると判定すると、発光装置２４に１以上のインレットスイッチ２３のオン状態が継続されていることを表す点灯又は消灯をさせる制御部と、を備えるようにする。【選択図】図２
2018184246.tif 000002
【特許請求の範囲】
【請求項１】
乗客コンベアに内蔵される手摺インレットガード装置であって、
手摺の各入込部に前記手摺の延在方向に移動可能な状態で前記手摺を囲むように設けられるハンドガードブーツと、
前記ハンドガードブーツが前記入込部の奥側に所定距離押し込まれるとオン状態になるインレットスイッチと、
光を出射する発光部と、
１以上の前記インレットスイッチからの信号に基づいて、前記１以上のインレットスイッチの前記オン状態が継続されていると判定すると、前記発光部に前記１以上のインレットスイッチの前記オン状態が継続されていることを表す点灯又は消灯をさせる制御部と、
を備える、手摺インレットガード装置。
【請求項２】
請求項１に記載の手摺インレットガード装置において、
１以上の前記インレットスイッチが前記オン状態になった後にオフ状態になったとき、前記制御部は、前記オフ状態になってから前記乗客コンベアが復帰するまで、前記発光部に前記１以上のインレットスイッチが前記オン状態になった後にオフ状態になったことを表す点灯又は消灯をさせる、手摺インレットガード装置。
【請求項３】
請求項１又は２に記載の手摺インレットガード装置において、
前記ハンドガードブーツは、透光性を有する材料で構成され、
前記発光部は、前記各ハンドガードブーツに光を照射するブーツ照射部を含む、手摺インレットガード装置。
【請求項４】
請求項３に記載の手摺インレットガード装置において、
前記ハンドガードブーツ、前記インレットスイッチ、及び前記ブーツ照射部は、前記乗客コンベアにおいて前記手摺が入り込む可能性がある４つの前記入込部の夫々に設けられ、
１以上の前記インレットスイッチの前記オン状態が継続される一方、他の１以上の前記インレットスイッチが継続的にオフ状態である場合、前記制御部は、前記各インレットスイッチに対応する前記ブーツ照射部の夫々に、前記オン状態になっている前記１以上のインレットスイッチが設置されている１以上の前記入込部を特定可能な光らせ方をさせる、手摺インレットガード装置。
【請求項５】
請求項３に記載の手摺インレットガード装置において、
前記ハンドガードブーツ、前記インレットスイッチ、及び前記ブーツ照射部は、前記乗客コンベアにおいて前記手摺が入り込む可能性がある４つの前記入込部の夫々に設けられ、
１以上の前記インレットスイッチが前記オン状態になった後にオフ状態になった一方、他の１以上の前記インレットスイッチが継続的にオフ状態である場合、前記制御部は、前記各インレットスイッチに対応する前記ブーツ照射部の夫々に、前記オン状態になった後にオフ状態になった前記１以上のインレットスイッチが設置されている１以上の前記入込部を特定可能な光らせ方をさせる、手摺インレットガード装置。
【請求項６】
請求項１乃至５のいずれか１つに記載の手摺インレットガード装置を内蔵する、乗客コンベア。
【発明の詳細な説明】
【技術分野】
【０００１】
本発明は、乗客コンベア（エスカレーター、動く歩道）の手摺インレットガード装置に関する。また、本発明は、手摺インレットガード装置を備える乗客コンベアに関する。
【背景技術】
【０００２】
特許文献１に記載されているように、乗客コンベアは、手摺がスカートガード内に入る入込口に手摺インレットガード装置を備える。この手摺インレットガード装置は、ゴム製のハンドガードブーツと、インレットスイッチを備え、ハンドガードブーツは、手摺を取り囲んだ状態で入込部に配置される。被服等の挟み込みによって、ハンドガードブーツが奥側に押し込まれると、押し込まれたハンドガードブーツがインレットスイッチを作動させ、乗客コンベアが非常停止する。このようにして、乗客の安全に万全を期している。
【先行技術文献】
【特許文献】
【０００３】
【特許文献１】特開２０１０−９５３６１号公報
【発明の概要】
【発明が解決しようとする課題】
【０００４】
ガム等の異物が手摺とハンドガードブーツとの間に介在し、ハンドガードブーツが係る異物によって奥側に押し込まれたままの状態になることがある。このような場合、インレットスイッチがオンになっている状態が維持され、古い機種の乗客コンベアでは、ビル管理人等が乗客コンベアの再起動操作部を操作しても、乗客コンベアが再起動不能となり、ビル管理人等による復旧が容易でない。他方、最近の新しい機種の乗客コンベアでは、乗客コンベアのインジケータに手摺インレットガード装置の動作の継続を表すエラーコードが示される。しかし、そのような場合でも、ビル管理人等が、説明書を参照して、エラーコードの意味を把握する必要があり、ビル管理人等が容易にシステム停止の原因を把握するのが難しく、乗客コンベアの迅速な復旧が難しい。
【０００５】
そこで、本発明の目的は、保守作業員でないビル管理人等でも動作の継続を容易に把握でき、乗客コンベアを復旧させ易い手摺インレットガード装置、及びそれを備えた乗客コンベアを提供することにある。
【課題を解決するための手段】
【０００６】
本発明に係る手摺インレットガード装置は、乗客コンベアに内蔵される手摺インレットガード装置であって、手摺の各入込部に前記手摺の延在方向に移動可能な状態で前記手摺を囲むように設けられるハンドガードブーツと、前記ハンドガードブーツが前記入込部の奥側に所定距離押し込まれるとオン状態になるインレットスイッチと、光を出射する発光部と、１以上の前記インレットスイッチからの信号に基づいて、前記１以上のインレットスイッチの前記オン状態が継続されていると判定すると、前記発光部に前記１以上のインレットスイッチの前記オン状態が継続されていることを表す点灯又は消灯をさせる制御部と、を備える。
【０００７】
本発明によれば、１以上のインレットスイッチのオン状態が継続されると、発光部が１以上のインレットスイッチのオン状態が継続されていることを表す点灯又は消灯を行う。したがって、ビル管理人等が発光部を確認することにより、押し込まれた状態のままになっているハンドガードブーツを認識できる。よってビル管理人等が、適切な処置を取り易くなり、例えば、保守作業員等に連絡せずに自らガム等の異物を除去し易くなる。その結果、乗客コンベアをより迅速に復旧させ易くなる。
【０００８】
また、本発明において、１以上の前記インレットスイッチが前記オン状態になった後にオフ状態になったとき、前記制御部は、前記オフ状態になってから前記乗客コンベアが復帰するまで、前記発光部に前記１以上のインレットスイッチが前記オン状態になった後にオフ状態になったことを表す点灯又は消灯をさせてもよい。
【０００９】
上記構成によれば、ビル管理人等が発光部を確認することで、１以上のインレットスイッチが、オン状態になった後にオフ状態になったことを容易に把握でき、その１以上のインレットスイッチに対応するインレットガード装置部が作動して乗客コンベアが緊急停止したことと、更には、オン状態が継続されているインレットスイッチがない場合、再起動操作(復旧操作)により乗客コンベアを再駆動できることを理解できる。よって、ビル管理人等が、例えば、一時的にオン状態になったインレットスイッチに対応するインレットガード装置部の状況を確認した後、保守作業員の手を借りずに乗客コンベアを迅速に復旧させることができる。
【００１０】
また、本発明において、前記ハンドガードブーツは、透光性を有する材料で構成され、前記発光部は、前記各ハンドガードブーツに光を照射するブーツ照射部を含んでもよい。
【００１１】
上記構成によれば、発光部が、ハンドガードブーツの周辺に配置されるブーツ照射部を含む。したがって、ブーツ照射部の光り方によりインレットスイッチの動作状況を確認しつつ、ハンドガードブーツの状態の確認作業も実行できる。
【００１２】
また、本発明において、前記ハンドガードブーツ、前記インレットスイッチ、及び前記ブーツ照射部は、前記乗客コンベアにおいて前記手摺が入り込む可能性がある４つの前記入込部の夫々に設けられ、１以上の前記インレットスイッチの前記オン状態が継続される一方、他の１以上の前記インレットスイッチが継続的にオフ状態である場合、前記制御部は、前記各インレットスイッチに対応する前記ブーツ照射部の夫々に、前記オン状態になっている前記１以上のインレットスイッチが設置されている１以上の前記入込部を特定可能な光らせ方をさせてもよい。
【００１３】
上記構成によれば、ビル管理人等がいずれの入込部を視認しても、どの入込部に設置されたインレットスイッチのオン状態が継続されているかを容易に把握できる。
【００１４】
また、本発明において、前記ハンドガードブーツ、前記インレットスイッチ、及び前記ブーツ照射部は、前記乗客コンベアにおいて前記手摺が入り込む可能性がある４つの前記入込部の夫々に設けられ、１以上の前記インレットスイッチが前記オン状態になった後にオフ状態になった一方、他の１以上の前記インレットスイッチが継続的にオフ状態である場合、前記制御部は、前記各インレットスイッチに対応する前記ブーツ照射部の夫々に、前記オン状態になった後にオフ状態になった前記１以上のインレットスイッチが設置されている１以上の前記入込部を特定可能な光らせ方をさせてもよい。
【００１５】
上記構成によれば、ビル管理人等がいずれの入込部を視認しても、どの入込部に設置されたインレットスイッチがオン状態になった後にオフ状態になったかを容易に把握できる。
【００１６】
また、本発明に係る乗客コンベアは、本発明の手摺インレットガード装置を内蔵する。
【００１７】
本発明によれば、保守作業員でないビル管理人等でも手摺インレットガード装置の動作の継続を容易に把握でき、復旧がし易くなる。
【発明の効果】
【００１８】
本発明に係る手摺インレットガード装置によれば、保守作業員でないビル管理人等でもその動作の継続を容易に把握でき、乗客コンベアを復旧させ易い。
【図面の簡単な説明】
【００１９】
【図１】本発明の一実施形態に係るエスカレーターの概略図である。
【図２】上記エスカレーターが含む手摺インレットガード装置の基本構成及び動作を説明するための図である。
【図３】上記手摺インレットガード装置のインレットガード装置部を入込口の外側から見た時の斜視図である。
【図４】上記手摺インレットガード装置に関する制御ブロック図である。
【図５】変形例の手摺インレットガード装置におけるインレットガード装置部を入込口の外側から見た時の正面図である。
【図６】他の変形例の手摺インレットガード装置におけるインレットガード装置部を入込口の外側から見た時の正面図である。
【図７】更なる変形例の手摺インレットガード装置におけるインレットガード装置部を入込口の外側から見た時の正面図である。
【発明を実施するための形態】
【００２０】
以下に、本発明に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、下記の実施形態では、乗客コンベアが、降り側が乗り込み側よりも上方にある昇りエスカレーター１を例に説明を行う。しかし、乗客コンベアは、降り側が乗り込み側よりも下方にある降りエスカレーターでもよく、ステップの踏み面が階段状にならない動く歩道でもよい。
【００２１】
図１は、本発明の一実施形態に係るエスカレーター１の概略図である。エスカレーター１は、駆動機（図示せず）、手摺駆動装置（図示せず）、及び一対の手摺２を備え、手摺駆動装置が、駆動機からの動力によって手摺２を移動させる。一対の手摺２は、図示しないステップの幅方向両側に配設される。本実施例では、エスカレーター１は昇りエスカレーターであるため、手摺２は、下側から上側に欄干３の周縁部に沿うように矢印Ａで示す方向に降口まで移動し、その後、下側に反転してスカートガード４に設けられた入込部７内に進入する。その後、トラス内を上側から下側に移動した後、下側の乗場付近でスカートガード４から外部に移動し、上側に反転して、再度、欄干３の周縁部に沿うように矢印Ａで示す方向に下側から上側に移動する。
【００２２】
図２は、図１にＲで示す降り口付近の入込部７周辺の拡大模式図である。エスカレーター１は、駆動機のモータの回転方向を操作で自在に変更でき、本実施例のように、昇りエスカレーター１になり得る他、当該モータを逆回転させることで、降りエスカレーターにもなり得る。したがって、エスカレーター１は一対の手摺２を備えるので、エスカレーター１には、４つの入込口５が設けられる。
【００２３】
図２に示すように、エスカレーター１は、手摺インレットガード装置１０を備え、手摺インレットガード装置１０は、各入込部７にインレットガード装置部１５を含む。インレットガード装置部１５は、ブーツ収容部２０、ハンドガードブーツ２１、及びインレットスイッチ２３を備える。ハンドガードブーツ２１は、透光性を有する弾性素材で構成され、例えば、透明のシリコンゴム、透明のウレタンゴム、又は透明アクリル系ゴム等で構成される。ハンドガードブーツ２１は、手摺２を囲むように設けられる。手摺２は無端状であり、動作状態において手摺２はハンドガードブーツ２１内を通過して移動する。ハンドガードブーツ２１の少なくとも一部は、静止部材であるブーツ収容部２０内に収容され、ブーツ収容部２０に手摺２の移動方向に相対移動可能に取り付けられる。
【００２４】
ハンドガードブーツ２１は、入込部７の奥側の端部に動作片取付部２６を有し、動作片取付部２６には、動作片２７が手摺移動方向の奥側に突出するように取り付けられる。なお、上述したように、ハンドガードブーツ２１は、手摺２を取り囲むような形状であり、動作片２７は、手摺２を避けた端部に取り付けられる。インレットスイッチ２３は、動作片２７よりも手摺移動方向の奥側かつ動作片２７の高さ位置と同じ高さ位置に設けられる。また、インレットガード装置部１５は、インレットスイッチ２３に一体に設けられる付勢部材２５を有する。付勢部材２５は、動作片取付部２６を、手摺移動方向の入込口５側に付勢する。
【００２５】
例えば、被服等の巻き込み等で、ハンドガードブーツ２１が付勢部材２５の付勢力よりも大きな力で奥側に押圧されると、ハンドガードブーツ２１が付勢部材２５を縮めるように奥側に移動し、ハンドガードブーツ２１の奥側にある動作片２７がインレットスイッチ２３を動作させる。すると、インレットスイッチ２３からオン状態を表す信号が制御部４０（図４参照）に出力され、制御部４０が駆動機用モータ７０（図４参照）を停止させる制御を実行し、エスカレーター１が非常停止する。このようにして、被服等の奥側への巻き込み等を確実に防止し、乗客の安全に万全を期している。
【００２６】
他方、問題が解消し、付勢部材２５を奥側に縮める力が消失すると、付勢部材２５が、動作片取付部２６を入込口５側に押し戻す。係る押し戻しによって、ハンドガードブーツ２１が入込口５側に移動し、動作片２７がインレットスイッチ２３から離れ、インレットスイッチ２３がオフ状態になる。インレットスイッチがオフ状態になると、ビル管理人等が、エスカレーター１に設けられた復旧操作部（キースイッチ）を操作することにより、エスカレーター１を自ら復旧させ、エスカレーター１を稼動させることができる。
【００２７】
なお、制御部４０は、手摺インレットガード装置１０に含まれる。制御部４０は、例えば、マイクロコンピュータによって好適に構成される。制御部４０は、ＣＰＵ（Central Processing Unit）と、ＲＡＭ(Random Access Memory)、ＲＯＭ(Read Only Memory)等の記憶部とを備える。ＣＰＵは、記憶部に予め記憶されたプログラム等を読み出して実行する機能を有する。ＲＡＭは、読み出したプログラムや処理データを一時的に記憶する機能を有する。また、ＲＯＭは、制御プロラムや所定の閾値等を予め記憶する機能を有する。制御部４０は、マイクロコンピュータによって実行されるソフトウエアによって実現できるが、その一部がハードウエアによって構成されてもよい。
【００２８】
エスカレーター１は、更に発光部としての４つの発光装置２４を備える。発光装置２４は、出射光がハンドガードブーツ２１を照らすようにブーツ収容部２０の内面等に取り付けられる。４つの発光装置２４は、ブーツ照射部を構成する。次に図３及び図４を用いて、発光装置２４のより詳しい構成及び動作について説明する。
【００２９】
図３は、手摺インレットガード装置１０のインレットガード装置部１５を入込口５の外側から見た時の斜視図である。なお、図３には、分かり易いように手摺２の断面を示している。図３に示すように、発光装置２４は、入込口５の外側から見たとき、ブーツ収容部２０の左側側面２０ａに取り付けられる左側発光装置部２４ａと、右側側面２０ｂに取り付けられる右側発光装置部２４ｂを有する。各発光装置部２４ａ,２４ｂは、基板２５ａ,２５ｂと、基板２５ａ,２５ｂの表側に実装された１以上の発光ダイオードチップ（以下、ＬＥＤチップという）３０ａ,３０ｂを含む。各基板２５ａ,２５ｂは、固定手段、例えば締結部材や接着剤によりブーツ収容部２０の内面に固定される。また、各ＬＥＤチップ３０ａ,３０ｂは、対応する電流ドライバ（図示せず）に電気的に接続される。制御部４０が、各電流ドライバに制御信号を出力することにより、各ＬＥＤチップ３０ａ,３０ｂに流れる電流が制御され、各ＬＥＤチップ３０ａ,３０ｂの点灯のタイミングが制御される。
【００３０】
なお、図３に示す例では、各基板２５ａ,２５ｂが手摺２の高さ方向に延在し、各基板２５ａ,２５ｂに当該高さ方向に間隔をおいて５つのＬＥＤチップ３０ａ,３０ｂが実装されている。しかし、各基板の形状及び設置姿勢や各基板に実装されるＬＥＤチップの数は、これに限らない。左側発光装置部は、ハンドガードブーツの左側側面を照らすことができる構成であれば如何なる構成でもよく、右側発光装置部は、ハンドガードブーツの右側側面を照らすことができる構成であれば如何なる構成でもよい。なお、左側発光装置部２４ａ及び右側発光装置部２４ｂは、図３に示すように、手摺２を垂直に二等分する平面Ｐに対して面対称に配設されると好ましいが当該平面Ｐに対して面対称に配設されなくてもよい。
【００３１】
図４は、手摺インレットガード装置１０に関する制御ブロック図である。図４に示すように、手摺インレットガード装置１０は、４つのインレットスイッチ、すなわち、左上側インレットスイッチ２３ａ、右上側インレットスイッチ２３ｂ、左下側インレットスイッチ２３ｃ、及び右下側インレットスイッチ２３ｄを含み、各インレットスイッチ２３ａ〜２３ｄは、オン状態であるか否かを表す信号を制御部４０に出力する。左上側インレットスイッチ２３ａは、エスカレーター１を上側降場の外側から見たとき、左側にある入込部７に設置されたインレットスイッチであり、右上側インレットスイッチ２３ｂは、エスカレーター１を上側降場の外側から見たとき、右側にある入込部７に設置されたインレットスイッチである。また、左下側インレットスイッチ２３ｃは、エスカレーター１を下側乗場の外側から見たとき、左側にある入込部７に設置されたインレットスイッチであり、右下側インレットスイッチ２３ｄは、エスカレーター１を下側乗場の外側から見たとき、右側にある入込部７に設置されたインレットスイッチである。
【００３２】
また、制御部４０は、インレットスイッチ２３ａ〜２３ｄからの信号を受けて、駆動機用モータ７０、左上側左ＬＥＤ用ドライバ５１、左上側右ＬＥＤ用ドライバ５２、右上側左ＬＥＤ用ドライバ５３、右上側右ＬＥＤ用ドライバ５４、左下側左ＬＥＤ用ドライバ５５、左下側右ＬＥＤ用ドライバ５６、右下側左ＬＥＤ用ドライバ５７、及び右下側右ＬＥＤ用ドライバ５８に制御信号を出力する。左上側左ＬＥＤ用ドライバ５１は、エスカレーター１を上側降場の外側から見たとき左側にあるインレットガード装置部１５の左側にある左側発光装置部２４ａに電流を供給するドライバであり、左上側右ＬＥＤ用ドライバ５２は、エスカレーター１を上側降場の外側から見たとき左側にあるインレットガード装置部１５の右側にある右側発光装置部２４ｂに電流を供給するドライバである。
【００３３】
また、右上側左ＬＥＤ用ドライバ５３は、エスカレーター１を上側降場の外側から見たとき右側にあるインレットガード装置部１５の左側にある左側発光装置部２４ａに電流を供給するドライバであり、右上側右ＬＥＤ用ドライバ５４は、エスカレーター１を上側降場の外側から見たとき右側にあるインレットガード装置部１５の右側にある右側発光装置部２４ｂに電流を供給するドライバである。
【００３４】
また、左下側左ＬＥＤ用ドライバ５５は、エスカレーター１を下側乗場の外側から見たとき左側にあるインレットガード装置部１５の左側にある左側発光装置部２４ａに電流を供給するドライバであり、左下側右ＬＥＤ用ドライバ５６は、エスカレーター１を下側乗場の外側から見たとき左側にあるインレットガード装置部１５の右側にある右側発光装置部２４ｂに電流を供給するドライバである。
【００３５】
また、右下側左ＬＥＤ用ドライバ５７は、エスカレーター１を下側乗場の外側から見たとき右側にあるインレットガード装置部１５の左側にある左側発光装置部２４ａに電流を供給するドライバであり、右下側右ＬＥＤ用ドライバ５８は、エスカレーター１を下側乗場の外側から見たとき右側にあるインレットガード装置部１５の右側にある右側発光装置部２４ｂに電流を供給するドライバである。
【００３６】
係る構成において、発光装置２４は次のように制御される。なお、エスカレーター１は、昇りエスカレーターであるので、手摺２が実際に入り込む入込口として機能するのは、上側の２つの入込口５になる。制御部４０は、いずれか１つのインレットスイッチがオン状態になると、駆動機用モータ７０を停止させ、エスカレーター１を緊急停止させる。
【００３７】
また、エスカレーター１を上側降場の外側から見たとき左側にあるインレットガード装置部（以下、左上インレットガード装置部という）１５のハンドガードブーツ２１と、手摺２との間にガム等の異物が介在し、ハンドガードブーツ２１が当該異物によって奥側に押し込まれたままの状態になったとする。この場合、制御部４０は、左上インレットガード装置部に含まれる全てのＬＥＤチップ３０ａ,３０ｂを継続的に点灯させる。
【００３８】
また、制御部４０は、エスカレーター１を上側降場の外側から見たとき右側にあるインレットガード装置部（以下、右上インレットガード装置部という）１５の左側発光装置部２４ａに含まれるＬＥＤチップ３０ａを継続的に点灯させ、右上インレットガード装置部１５の右側発光装置部２４ｂに含まれるＬＥＤチップ３０ｂを消灯させる。
【００３９】
また、制御部４０は、エスカレーター１を下側乗場の外側から見たとき左側にあるインレットガード装置部（以下、左下インレットガード装置部という）１５の右側発光装置部２４ｂに含まれるＬＥＤチップ３０ｂを継続的に点灯させる一方、左下インレットガード装置部１５の左側発光装置部２４ａに含まれるＬＥＤチップ３０ａを消灯させる。
【００４０】
また、制御部４０は、エスカレーター１を下側乗場の外側から見たとき右側にあるインレットガード装置部（以下、右下インレットガード装置部という）１５の右側発光装置部２４ｂに含まれるＬＥＤチップ３０ｂを継続的に点灯させる一方、右下インレットガード装置部１５の左側発光装置部２４ａに含まれるＬＥＤチップ３０ａを消灯させる。
【００４１】
したがって、ビル管理人等は、外側から入込口を介して左上インレットガード装置部１５を覗き込んだとき、左上インレットガード装置部１５の全てのＬＥＤチップ３０ａ,３０ｂが点灯していることを確認することで、左上インレットガード装置部１５のインレットスイッチ２３が継続的にオン状態になっていることを確認できる。また、ビル管理人等が、他の３つの入込口を介して他のインレットガード装置部１５を覗き込んだとしても、他の３つのインレットガード装置部１５において点灯している一方側の発光装置部（左側発光装置部２４ａ又は右側発光装置部２４ｂ）を確認することによって、左上インレットガード装置部１５でインレットスイッチ２３が継続的にオン状態になっていることを確認できる。ここで、エスカレーター１は、昇りエスカレーターであって、下側の２つのインレットガード装置部１５で異物のかみ込みが生じることがないことから、ビル管理人等は、下側のインレットガード装置部１５を覗き込んでも、左上インレットガード装置の不具合を特定できる。
【００４２】
次に、左上インレットガード装置部１５及び右上インレットガード装置部１５の両方で、ハンドガードブーツ２１と、手摺２との間にガム等の異物が介在し、ハンドガードブーツが当該異物によって奥側に押し込まれたままの状態になったとする。この場合、制御部４０は、４つのインレットガード装置部１５に含まれる全てのＬＥＤチップ３０ａ,３０ｂを点灯させる。この場合、上側の２つのインレットガード装置部１５は、全てのＬＥＤチップ３０ａ,３０ｂが点灯することにより、自身のインレットスイッチ２３が継続的にオン状態になっていることを報知する。また、下側の２つのインレットガード装置部１５は、インレットスイッチ２３が継続的にオン状態になっている上側のインレットガード装置部１５の位置を報知する。その結果、全てのＬＥＤチップ３０ａ,３０ｂが点灯制御される。
【００４３】
次に、左上インレットガード装置部１５のインレットスイッチ２３がオン状態になった後、オフ状態となり、エスカレーター１が緊急停止状態になっているものの、復旧操作部（キースイッチ）で復旧可能な状態であるとする。この場合、制御部４０は、エスカレーター１の再起動操作が実行されるまで、左上インレットガード装置部１５の全てのＬＥＤチップ３０ａ,３０ｂを一定周期で点滅するように制御し、右上インレットガード装置部１５の左側発光装置部２４ａに含まれるＬＥＤチップ３０ａを一定周期で点滅するように制御する。また、制御部４０は、エスカレーター１の再起動操作が実行されるまで、左下及び右下インレットガード装置部１５の右側発光装置部２４ｂに含まれるＬＥＤチップ３０ｂを一定周期で点滅するように制御する。そして、制御部４０は、その他のＬＥＤチップ３０ａ,３０ｂを消灯制御する。このようにして、ビル管理人等が、視覚により左上インレットガード装置部１５のインレットスイッチ２３がオン状態になった後、オフ状態となったことを容易に把握できるようにする。
【００４４】
次に、左上及び右上インレットガード装置部１５の両方のインレットスイッチ２３がオン状態になった後、オフ状態となり、エスカレーター１が緊急停止状態になっているものの、復旧操作部（キースイッチ）で復旧可能な状態であるとする。この場合、制御部４０は、エスカレーター１の再起動操作が実行されるまで、全てのＬＥＤチップ３０ａ,３０ｂを一定周期で点滅するように制御する。このようにして、ビル管理人等が、視覚により左上及び右上インレットガード装置部１５のインレットスイッチ２３がオン状態になった後、オフ状態となったことを容易に把握できるようにする。
【００４５】
更には、左上インレットガード装置部１５のハンドガードブーツ２１と、手摺２との間にガム等の異物が介在し、ハンドガードブーツ２１が当該異物によって奥側に押し込まれたままの状態になったとする。また、右上インレットガード装置部１５のインレットスイッチ２３がオン状態になった後、オフ状態となったとする。この場合、制御部４０は、左上インレットガード装置部１５の全てのＬＥＤチップ３０ａ,３０ｂを継続的に点灯制御し、エスカレーター１の再起動操作が実行されるまで、右上インレットガード装置部１５の全てのＬＥＤチップ３０ａ,３０ｂを一定周期で点滅するように制御する。更には、左下及び右上インレットガード装置部１５の両方において、エスカレーター１の再起動操作が実行されるまで、右側発光装置部２４ｂに含まれるＬＥＤチップ３０ｂを一定周期で点滅するように制御し、左側発光装置部２４ａに含まれるＬＥＤチップ３０ａを継続的に点灯制御する。このようにして、ビル管理人等が、視覚により左上インレットガード装置部１５のインレットスイッチ２３が継続的にオン状態になっていることを容易に把握でき、更には、右上インレットガード装置部１５のインレットスイッチ２３がオン状態になった後に、オフ状態になったことも容易に把握できるようにしている。
【００４６】
上記実施形態によれば、１以上のインレットスイッチ２３のオン状態が継続されると、発光部としての４つの発光装置２４がその１以上のインレットスイッチ２３のオン状態が継続されていることを表す点灯を行う。したがって、ビル管理人等が４つの発光装置２４を確認することにより、押し込まれた状態のままになっているハンドガードブーツ２１を認識できる。よってビル管理人等が、適切な処置を取り易くなり、例えば、保守作業員等に連絡せずに自らガム等の異物を除去し易くなる。その結果、エスカレーター１をより迅速に復旧させ易くなる。
【００４７】
また、ビル管理人等が４つの発光装置２４を確認することにより、１以上のインレットスイッチ２３が、オン状態になった後にオフ状態になったことを容易に把握でき、その１以上のインレットスイッチ２３に対応するインレットガード装置部１５が作動してエスカレーター１が緊急停止したことと、更には、オン状態が継続されているインレットスイッチ２３がない場合、再起動操作(復旧操作)によりエスカレーター１を再駆動できることを理解できる。よって、ビル管理人等が、例えば、一時的にオン状態になったインレットスイッチ２３に対応するインレットガード装置部１５の状況を確認した後、保守作業員の手を借りずにエスカレーター１を迅速に復旧させることができる。
【００４８】
また、発光装置２４が、ハンドガードブーツ２１の周辺に配置されるブーツ照射部を含む。したがって、ブーツ照射部の光り方によりインレットスイッチ２３の動作状況を確認しつつ、ハンドガードブーツ２１の状態の確認作業も実行できる。
【００４９】
また、ビル管理人等がいずれの入込部７を視認しても、どの入込部７に設置されたインレットスイッチ２３のオン状態が継続されているかを容易に把握でき、どの入込部７に設置されたインレットスイッチ２３がオン状態になった後にオフ状態になったかも容易に把握できる。
【００５０】
更には、本エスカレーター１によれば、保守作業員でないビル管理人等でも手摺インレットガード装置１０の動作の継続を容易に把握でき、復旧がし易くなる。
【００５１】
尚、本発明は、上記実施形態およびその変形例に限定されるものではなく、本願の特許請求の範囲に記載された事項およびその均等な範囲において種々の改良や変更が可能である。なお、以下で説明する図５、図６及び図７に示す変形例においては、上記実施形態と同一の構成には、同一の参照番号を付して説明を省略する。
【００５２】
例えば、上記実施形態では、１以上のインレットスイッチ２３のオン状態が継続されている場合、当該１以上のインレットスイッチ２３の左側及び右側発光装置部２４ａ,２４ｂの全てのＬＥＤチップ３０ａ,３０ｂを点灯させるようにした。また、１以上のインレットスイッチ２３がオン状態となってからオフ状態となった場合、当該１以上のインレットスイッチ２３の左側及び右側発光装置部２４ａ,２４ｂの全てのＬＥＤチップ３０ａ,３０ｂを一定周期で点滅するように制御した。しかし、図５、すなわち、手摺インレットガード装置１１０のインレットガード装置部１１５の正面図に示すように、各インレットガード装置部１１５が、ブーツ収容部２０の底面に下側発光装置部１２４ｃを備え、下側発光装置部１２４ｃが、基板１２５ｃと、基板１２５ｃの表側に実装された１以上のＬＥＤチップ１３０ｃを含んでもよい。そして、１以上のインレットスイッチ２３のオン状態が継続されている場合、当該１以上のインレットスイッチ２３の左側、右側及び下側発光装置部２４ａ,２４ｂ,１２４ｃの全てのＬＥＤチップ３０ａ,３０ｂ,１３０ｃを点灯させるようにしてもよい。また、１以上のインレットスイッチ２３がオン状態となってからオフ状態となった場合、エスカレーター１の再起動操作が実行されるまで、当該１以上のインレットスイッチ２３の左側、右側及び下側発光装置部２４ａ,２４ｂ,１２４ｃの全てのＬＥＤチップ３０ａ,３０ｂ,１３０ｃを一定周期で点滅するように制御してもよい。このようにして、ビル管理人等が、オン状態が継続されているインレットスイッチや、オン状態となってからオフ状態となったインレットスイッチを確認し易いようにしてもよい。
【００５３】
また、図６、すなわち、他の変形例の手摺インレットガード装置２１０におけるインレットガード装置部２１５の正面図に示すように、各インレットガード装置部２１５が、左側発光装置部２４０ａと、右側発光装置部２４０ｂを含んでもよい。そして、左側発光装置部２４０ａの基板２５０ａが、手摺２の高さ方向に延在し、基板２５０ａの表側の上側にＬＥＤチップ２３０ａが実装され、基板２５０ａの表側の下側にＬＥＤチップ２６０ａが実装されてもよい。また、右側発光装置部２４０ｂの基板２５０ｂが、手摺２の高さ方向に延在し、基板２５０ｂの表側の上側にＬＥＤチップ２３０ｂが実装され、基板２５０ｂの表側の下側にＬＥＤチップ２６０ｂが実装されてもよい。そして、各ＬＥＤチップ２３０ａ,２６０ａ,２３０ｂ,２６０ｂに４つのインレットスイッチの動作状態を表示させてもよい。
【００５４】
詳しくは、昇りエスカレーターの下側にある２つのインレットガード装置部２１５では、乗場の外方から見て左上側のＬＥＤチップ２３０ａに、乗場の外方から見て左上側のインレットスイッチの動作状況を表示させてもよく、乗場の外方から見て左下側のＬＥＤチップ２６０ａに、乗場の外方から見て左下側のインレットスイッチの動作状況を表示させてもよい。また、昇りエスカレーターの下側にある２つのインレットガード装置部２１５では、乗場の外方から見て右上側のＬＥＤチップ２３０ｂに、乗場の外方から見て右上側のインレットスイッチの動作状況を表示させてもよく、乗場の外方から見て右下側のＬＥＤチップ２６０ｂに、乗場の外方から見て右下側のインレットスイッチの動作状況を表示させてもよい。
【００５５】
また、昇りエスカレーターの上側にある２つのインレットガード装置部２１５では、降場の外方から見て左上側のＬＥＤチップ２３０ａに、降場の外方から見て左上側のインレットスイッチの動作状況を表示させてもよく、降場の外方から見て左下側のＬＥＤチップ２６０ａに、降場の外方から見て左下側のインレットスイッチの動作状況を表示させてもよい。また、昇りエスカレーターの上側にある２つのインレットガード装置部２１５では、降場の外方から見て右上側のＬＥＤチップ２３０ｂに、降場の外方から見て右上側のインレットスイッチの動作状況を表示させてもよく、降場の外方から見て右下側のＬＥＤチップ２６０ｂに、降場の外方から見て右下側のインレットスイッチの動作状況を表示させてもよい。
【００５６】
また、各ＬＥＤチップにおいて、対応するインレットスイッチのオン状態が継続されている場合には、そのＬＥＤチップに継続的に光を発光させてもよく、対応するインレットスイッチがオン状態になってからオフ状態になった場合には、対応するＬＥＤチップを一定周期で点滅制御させてもよい。このようにして、ビル管理人等がいずれのインレットガード装置部２１５を視認しても、全てのインレットスイッチの動作状況を一度に把握できるようにしてもよい。
【００５７】
また、図７、すなわち、更なる変形例の手摺インレットガード装置３１０におけるインレットガード装置部３１５の正面図に示すように、各インレットガード装置部３１５が、ブーツ収容部２０の内側底面に一つのみの発光装置部３４０を備えてよく、各発光装置部３４０が、互いに異なる４つの第１乃至第４ＬＥＤチップ３３０ａ〜３３０ｄを含んでもよい。そして、第１色、第２色、第３色、及び第４色が互いに異なる色であるとき、例えば、第１ＬＥＤチップ３３０ａが、ハンドガードブーツ２１に向けて第１色の可視光を出射し、第２ＬＥＤチップ３３０ｂが、ハンドガードブーツ２１に向けて第２色の可視光を出射し、第３ＬＥＤチップ３３０ｃが、ハンドガードブーツ２１に向けて第３色の可視光を出射し、第４ＬＥＤチップ３３０ｄが、ハンドガードブーツ２１に向けて第４色の可視光を出射してもよい。
【００５８】
また、エスカレーターを下側の乗場外方から見たとき、例えば、第１ＬＥＤチップ３３０ａに、左上側に配置されたインレットスイッチの動作状況を表示させ、第２ＬＥＤチップ３３０ｂに、左下側に配置されたインレットスイッチの動作状況を表示させ、第３ＬＥＤチップ３３０ｃに、右上側に配置されたインレットスイッチの動作状況を表示させ、第４ＬＥＤチップ３３０ｄに、右下側に配置されたインレットスイッチの動作状況を表示させてもよい。このようにして、ビル管理人等が、いずれのインレットガード装置部３１５を視認しても、全てのインレットスイッチの動作状況を一度に把握できるようにしてもよい。なお、この場合においても、各ＬＥＤチップ３３０ａ〜３３０ｄが、対応するインレットスイッチがオン状態を継続しているとき、光を継続的に出射し、対応するインレットスイッチがオン状態になった後にオフ状態になったとき、光を一定周期で間欠的に発光するようにしてもよい。
【００５９】
又は、上記で説明した実施形態及び変形例との比較において、光を継続的に出射する場合と、光を一定周期で間欠的に発光させる場合とを逆にしてもよく、インレットスイッチが継続しているとき、対応するＬＥＤチップが、一定周期で点滅してもよく、インレットスイッチがオン状態になった後にオフ状態になった場合に、対応するＬＥＤチップが、エスカレーターの再起動操作が実行されるまで、継続的に光を出射する構成でもよい。
【００６０】
又は、インレットスイッチがオフ状態のとき対応するＬＥＤチップが光を継続的に出射している一方、インレットスイッチがオン状態のとき対応するＬＥＤチップが消灯する構成でもよい。なお、インレットスイッチが動作した場合に、対応するＬＥＤチップを光らせる場合、その光の色は赤色が好ましい。また、インレットスイッチが動作しなかった場合に、対応するＬＥＤチップを光らせる場合、その光の色は青色が好ましい。
【００６１】
又は、１以上のインレットスイッチがオン状態になると、全てのＬＥＤチップが継続的に点灯し、ビル管理人等が、各ハンドガードブーツを押圧すると、インレットスイッチがオフ状態になっているインレットガード装置部では、その装置部が有するＬＥＤチップが消灯する一方、インレットスイッチがオン状態になっているインレットガード装置部では、その装置部が有するＬＥＤチップが点灯を持続する構成でもよい。
【００６２】
以上、これら多数の例で説明したように、ハンドガードブーツは、透光性を有する材料で構成され、発光部は、各ハンドガードブーツに光を照射するブーツ照射部を含むと好ましい。また、ハンドガードブーツ、インレットスイッチ、及びブーツ照射部は、乗客コンベアにおいて手摺が入り込む可能性がある４つの入込部の夫々に設けられると好ましい。また、１以上のインレットスイッチのオン状態が継続される一方、他の１以上のインレットスイッチが継続的にオフ状態である場合、制御部は、各インレットスイッチに対応するブーツ照射部の夫々に、オン状態になっている１以上のインレットスイッチが設置されている１以上の入込部を特定可能な光らせ方をさせると好ましい。
【００６３】
なお、全てでない１以上の入込部を視認することで、インレットスイッチが継続的にオン状態になっているインレットガード装置部を認識できるようにしてもよく、視認されてもオン状態になっているインレットガード装置部を認識できない手摺インレットガード装置が存在してもよい。
【００６４】
また、ハンドガードブーツは、透光性を有する材料で構成され、発光部は、各ハンドガードブーツに光を照射するブーツ照射部を含むと好ましい。また、ハンドガードブーツ、インレットスイッチ、及びブーツ照射部は、乗客コンベアにおいて手摺が入り込む可能性がある４つの入込部の夫々に設けられると好ましい。また、１以上のインレットスイッチがオン状態になった後にオフ状態になった一方、他の１以上のインレットスイッチが継続的にオフ状態である場合、制御部は、各インレットスイッチに対応するブーツ照射部の夫々に、オン状態になった後にオフ状態になった１以上のインレットスイッチが設置されている１以上の入込部を特定可能な光らせ方をさせると好ましい。
【００６５】
なお、発光部が、ＬＥＤチップを含む場合について説明したが、発光部は、電球や半導体レーザ素子を含んでもよい。また、図２に示すように、ハンドガードブーツ２１が、押し込まれていない正常状態で、先端面がスカートガード４の開口に面一に配設される場合について説明した。しかし、ハンドガードブーツは、押し込まれていない正常状態で、スカートガードに設けられた開口から外側に突出する部分を有してもよい。
【００６６】
また、発光部が、透光性を有するハンドガードブーツに光を照射する場合について説明したが、発光部は、インレットガード装置部に設けられない光出射部のみで構成されてもよく、インレットガード装置部に設けられない光出射部を含んでもよい。
【００６７】
例えば、発光部は、ブーツ照射部に加えて、図７に示す構成と同一の構成の第１〜第４ＬＥＤチップを、インジケータ周辺や乗客コンベアの再起動を行うキースイッチ周辺に設けてもよい。又は、発光部は、図７に示す構成と同一の構成の第１〜第４ＬＥＤチップのみからなり、当該第１〜第４ＬＥＤチップを、インジケータ周辺や乗客コンベアの再起動を行うキースイッチ周辺に配置してもよい。係る構成によれば、ビル管理人等が、姿勢をかがめて入込部の内部を確認する必要がない。よって、ビル管理人等がより楽な姿勢で、各インレットスイッチの動作状況を確認できる。なお、この場合、４つのハンドガードブーツを透光性の材料で構成しなくてもよいことは言うまでもない。
【符号の説明】
【００６８】
１  エスカレーター、  ２  手摺、  ７  入込部、  １０,１１０,２１０,３１０  手摺インレットガード装置、  ２１  ハンドガードブーツ、  ２３  インレットスイッチ、  ２４  発光装置、  ４０  制御部。
【図１】
2018184246.tif 000003
【図２】
2018184246.tif 000004
【図３】
2018184246.tif 000005
【図４】
2018184246.tif 000006
【図５】
2018184246.tif 000007
【図６】
2018184246.tif 000008
【図７】
2018184246.tif 000009